(57)【特許請求の範囲】
【請求項１】
端末器に循環供給する湯水の戻り口から加熱手段を経由して湯水の吐出口に至る湯水通路、及び、この湯水通路に水道水路から給水する開閉式の給水手段を備えている熱源機であって、
前記湯水通路に端末器側の湯水通流管を接続して湯水循環路が形成された状態での気密試験の実行が指令されるに伴い、前記湯水循環路内の水圧を検出する水圧センサが設定試験圧を検出するまで前記給水手段を繰り返し開閉操作させる給水制御手段を備え、
前記給水制御手段を、前記水圧センサが設定試験圧を検出してから第１設定経過時間が経過した後に、再度、前記水圧センサが設定試験圧を検出するまで前記給水手段を繰り返し開閉操作させる再加圧を行うように構成し、
前記水圧センサが前記設定試験圧を検出した後における前記水圧センサの検出圧に設定圧以上の減少変化があるか否かを判定する判定手段を備えるとともに、この判定手段による判定結果を報知する報知手段を判定手段からの情報に基づいて自動的に報知作動する状態で備え、
前記判定手段を、
前記水圧センサが前記設定試験圧を検出してから第１設定経過時間が経過するまでの間に前記水圧センサの検出圧に設定圧以上の減少変化があるか否か、前記再加圧により前記水圧センサが前記設定試験圧を検出してから第１設定経過時間が経過するまでの間に前記水圧センサの検出圧に設定圧以上の減少変化があるか否か、及び、前記再加圧により前記水圧センサが前記設定試験圧を検出してから前記湯水通流管の膨張による圧力変化の勾配が安定化するまでに掛かる第２設定経過時間が経過したのちにおいて前記水圧センサの検出圧に設定圧以上の減少変化があるか否かを判定するように構成し、且つ、
前記再加圧により前記水圧センサが前記設定試験圧を検出してから第１設定経過時間が経過するまでの間における前記設定圧を、前記水圧センサが前記設定試験圧を検出してから第１設定経過時間が経過するまでの間における前記設定圧から変更するように構成してある熱源機。
【請求項２】
前記給水制御手段を、設定基準開き回数以上前記給水手段を開き操作しても前記水圧センサが設定検出状態以外の検出状態にあれば給水手段の１回の開き操作時間を増加させるように構成してある請求項１記載の熱源機。
【請求項３】
前記湯水通路が浴槽側の湯水通流管に接続する風呂用湯水通路であり、この風呂用湯水通路に前記水圧センサが備えられている請求項１又は２記載の熱源機。
【請求項４】
前記湯水通路として、浴槽側の湯水通流管に接続する風呂用湯水通路と、暖房端末器側の湯水通流管に接続する暖房用湯水通路とが備えられ、風呂用湯水通路を暖房端末器側の湯水通流管に連通させる連絡管が備えられている請求項１〜３のいずれか１項に記載の熱源機。
【発明の詳細な説明】
【０００１】
【発明の属する技術分野】
本発明は、端末器に循環供給する湯水の戻り口から加熱手段を経由して湯水の吐出口に至る湯水通路、及び、この湯水通路に水道水路から給水する開閉式の給水手段を備えている熱源機に関する。
【０００２】
【従来の技術】
上記熱源機によって給湯するシステムの施工を行った際など、前記湯水循環路の気密試験を行う場合、従来、湯水循環路にコンプレッサーを接続して圧縮空気を供給することによって湯水通流管の内部を加圧し、試験圧まで加圧した後の圧力変化の有無や大きさを圧力計によって検出することにより、所定の気密状態になっているか否かを判定されていた。
【０００３】
【発明が解決しようとする課題】
従来、上記した気密試験を行う際、コンプレッサーを準備するとともに接続する費用や手間が掛かり、コスト高になっていた。
本発明の目的は、上記した気密試験が経済面でも手間面でも有利にできる熱源機を提供することにある。
【０００４】
【課題を解決するための手段】
目的達成のために、請求項１に記載の発明によれば、冒頭に記した熱源機において、端末器を接続して気密試験を実行させる指令を出力すると、給水制御手段が給水手段を操作させ、湯水循環路が水道水路から給水されて水道水圧で加圧される。このとき、給水手段が一気に開放されると、湯水循環路が一気に給水されて加圧されるため、水道水圧が高い場合、湯水循環路が高圧になり、水圧センサの検出可能な最高圧力が比較的低い場合にはその検出可能圧力を越えるとか、湯水循環路の配管や部品に異常な歪みが出るとかの事態が発生しやすくなる。これに対し、給水手段が繰り返し開閉操作されて湯水循環路に徐々に給水され、湯水循環路が気密試験に必要なものとして設定した設定試験圧まで徐々に加圧され、水道水圧が高い場合でも、湯水循環路の圧力がセンサの検出可能範囲を越えるとか、配管などに高圧が掛かる事態の発生を防止しながら、湯水循環路を水道水によって設定試験圧まで加圧できるものである。
これにより、水道水圧が低い場合のみならず、高い場合でも、湯水循環路の内圧が高くなり過ぎてセンサの検出可能範囲を越えるとか、配管に異常な歪みを発生させるとかの悪影響が出ることのないように湯水循環路を設定試験圧まで加圧する加圧手段に水道水圧を利用し、コンプレッサーを使用していた従来に比して安価に湯水循環路を気密試験できるようになった。
【０００５】
又、請求項１に記載の発明によれば、水圧センサが設定試験圧を検出してから第１設定経過時間が経過した後に、再度、給水手段を繰り返し開閉操作して設定試験圧まで給水させるものである。
すなわち、たとえば湯水循環路が樹脂管で成る場合、湯水循環路の圧力が設定試験圧に達しても、この後に湯水循環路が膨張してその圧力が低下し、この圧力低下が漏れによるものかどうか判定できなくなることがある。この場合でも、内圧低下にかかわらずさらに加圧していって時間が経過するに伴い、湯水循環路が膨張による圧力低下の発生しにくい安定した状態に至り、圧力低下があれば漏れによるものと判定できるようになる。このため、設定試験圧まで加圧した後、これから膨張が発生するまでに掛かるものとして設定した前記第１設定経過時間が経過した後に、再度給水して設定試験圧まで加圧され、湯水循環路が加圧による膨張の発生しやすいものであっても、前記安定状態になってから圧力変化を検出できるようにしたものである。これにより、水道水圧を利用して安価に気密試験できるものが、湯水循環路が膨張しやすい場合もそうでない場合も精度よく試験できる状態に得られる。
【０００６】
さらに、請求項１に記載の発明によれば、設定試験圧に加圧した湯水循環路における圧力変化の有無が水圧センサと判定手段とによって判定され、この判定結果が報知手段によって自動的に報知され、報知手段による報知を知るだけで気密試験の結果を知ることができるものであるから、報知手段による報知を知るだけで容易かつ確実に所定の気密状態になっているか否かを判定できる。
【０００７】
請求項２に記載の発明によれば、給水手段が設定基準開き回数以上開き操作されて給水されても、湯水循環路の圧力が設定圧以上に達していないとか、湯水循環路の圧力増加量が設定増加量に達していないとかの検出状態に水圧センサがなっていると、給水手段の１回の開き操作時間が増加され、それまでの開き操作時間のままで給水手段を繰り返し開閉操作して設定試験圧まで給水していくに比べ、給水手段が一回開いて給水することに起因する湯水循環路の圧力上昇分が増大して、設定試験圧まで迅速に昇圧するようにして給水されるものである。これにより、水道水圧が高い場合でも設定試験圧以上の高圧が掛からないように徐々に加圧させる割りには、設定試験圧まで極力迅速に加圧して気密試験を能率よく行える。
【０００８】
請求項３に記載の発明によれば、風呂用湯水通路の圧力を水圧センサによって検出しながら湯水循環路を設定試験圧まで加圧させ、通常時には、その水圧センサが検出する風呂用湯水通路の圧力に基づいて浴槽の水位を検出させ、浴槽に所望量の湯水が自動的に供給されるように構成することを可能にするものだから、気密試験も自動湯張りも、水圧センサを兼用して構造簡単かつ安価に行うことが可能である。
【０００９】
請求項４に記載の発明によれば、風呂用湯水通路を連絡管によって暖房器側の湯水通流管に連通させることにより、風呂用の湯水循環路に供給される水圧を暖房端末器側の湯水通流管にも供給し、この湯水通流管も水道水圧で設定試験圧まで徐々に加圧できるものだから、水道水圧の低い場合も高い場合も、風呂用と暖房用のいずれの湯水通路も、水道水圧を加圧手段に利用して安価に気密試験できる。
【００１０】
【発明の実施の形態】
図１に示すように、フィンチューブ型の給湯熱交換器２を備える一般給湯装置１と、フィンチューブ型の追焚熱交換器１１を備える風呂給湯装置１０と、フィンチューブ型の暖房熱交換器２１を備える暖房熱源機２０と、給湯熱交換器２及び追焚熱交換器１１を給湯ガスバーナ３１によって加熱し、暖房熱交換器２１を暖房ガスバーナ３２によって加熱する加熱装置３０と、各装置１，１０，２０，３０の運転を司る制御装置４０とにより、一般家庭用の給湯装置を構成してある。この給湯装置は、カランやシャワーなどの一般給湯栓３に湯水を供給する給湯、浴槽１２に湯水を張るとか浴槽１２の湯水を追焚する給湯、床暖房装置、浴室暖房装置、食器洗浄機、ファンコンベクタなどの高温暖房端末器５０や低温暖房端末器５１に湯水を熱媒として循環供給する給湯を行うものであり、詳しくは次の如く構成してある。
【００１１】
加熱装置３０は、前記給湯ガスバーナ３１に接続する給湯ガス供給路３３と、この給湯ガス供給路３３の途中から分岐して暖房ガスバーナ３２に接続する暖房ガス供給路３４とを備えており、給湯ガス供給路３３が有するガス取入れ口３３ｅを家庭用のガス供給管に接続することにより、このガス供給管からのガスを給湯ガス供給路３３によって給湯ガスバーナ３１に供給して燃焼させて給湯熱交換器２及び追焚熱交換器１１を加熱し、ガス供給管からのガスを暖房ガス供給路３４によって暖房ガスバーナ３２に供給して燃焼させて暖房熱交換器２１を加熱する。
前記給湯ガス供給路３３には、元ガス電磁弁３３ａ、給湯ガス比例弁３３ｂ、給湯ガス電磁弁３３ｃ、ガス切替電磁弁３３ｄを備え、前記暖房ガス供給路３４には、暖房ガス電磁弁３４ｅ及び暖房ガス比例弁３４ｆを備えてある。
【００１２】
一般給湯装置１は、前記給湯熱交換器２の入口側に接続する給水路４、給湯熱交換器２の出口側に接続する給湯路５を備えており、給水路４が有する入水口４ｆを家庭用の水道管に接続し、給湯路５の端部に継手を連結して備えさせてある吐出口５ｇを給湯栓３に連通する栓側給湯管７に接続することにより、水道管からの水を給水路４によって給湯熱交換器２に供給して加熱し、加熱後の湯水を給湯路５によって給湯栓３に供給する。
前記給水路４には、水フィルター４ａ、アキュムレータ４ｂ、給水サーミスタ４ｃ、水量センサ４ｄ、水道管からの水を給湯熱交換器２を迂回させて給湯路５に供給する給水バイパス路４ｅを備えてある。給湯路５には、給湯サーミスタ５ａ、給湯熱交換器２からの湯水と給水バイパス路４ｅからの水との混合比を調整するミキシングバルブ５ｂ、ミキシングサーミスタ５ｃ、水比例バルブ５ｄ、割り込み水量センサ５ｅ、過圧防止装置５ｆを備えてある。給湯熱交換器２には、給湯残火安全装置８を備えてある。
【００１３】
風呂給湯装置１０には、前記追焚熱交換器１１の入口側に接続するとともに途中に風呂ポンプ１６を、端部に継手で成る戻り口１３ａをそれぞれ有する風呂戻り路１３と、追焚熱交換器１１の出口側に接続しているとともに端部に継手で成る吐出口１４ａを有する風呂往き路１４とで成り、戻り口１３ａから加熱手段の一例としての追焚熱交換器１１を経由して吐出口１４ａに至る湯水通路１８を備えているとともに、湯水通路１８のうちの前記風呂戻り路１３の途中を前記給湯路５の途中に連通させるとともに途中に開閉式の給水手段の一例としての注湯電磁弁１５ａを有する湯張り路１５を備えている。
すなわち、湯水通路１８の前記戻り口１３ａを、浴槽１２の循環アダプター１２ａに接続する浴槽側戻り路１２ｂと浴槽側往き路１２ｃとで成る湯水通流管１９のうちの前記浴槽側戻り路１２ｂに接続するとともに、湯水通路１８の前記吐出口１４ａを前記湯水通流管１９のうちの前記浴槽側往き路１２ｃに接続して、風呂用の湯水循環路１０ａを形成し、制御装置４０に連係する湯張りスイッチを入りに操作すると、前記注湯電磁弁１５ａが開き操作され、前記給湯路５からの湯水が湯張り路１５によって風呂戻り路１３に供給され、この風呂戻り路１３から追焚熱交換器１１を経由して風呂往き路１４に流入し、吐出口１４ａから浴槽側往き路１２ｃに流入して循環アダプター１２ａから浴槽１２に流入する。すなわち、風呂給湯装置１０は、給湯路５からの湯水を湯張り路１５と湯水路１８とによって追焚加熱手段１１を経由させて浴槽１２に供給するように浴槽１２の湯張りを行う。そして、追焚スイッチを入りに操作すると、風呂ポンプ１６が駆動され、この風呂ポンプ１６の送り作用により、浴槽１２の湯水が循環アダプター１２ａから風呂側戻り路１２ｂに流出して戻り口１３ａから風呂戻り路１３に流入し、この風呂戻り路１３から追焚熱交換器１１を経由して風呂往き路１４に流入し、吐出口１４ａから浴槽側往き路１２ｃに流入して循環アダプター１２ａから浴槽１２に流入する。すなわち、風呂給湯装置１０は、湯水を浴槽１２から取り出し、追焚熱交換器１１で加熱してから浴槽１２に戻すように浴槽１２と追焚熱交換器１１との間で循環させて追焚する。
【００１４】
浴槽１２の湯張りが行われる際、湯水通路１８のうちの風呂戻り路１３の内部圧力に基づいて浴槽１２の水位を検出するように風呂戻り路１３に設けてある水圧センサ１７、浴槽１２に供給する湯水の量を所望量に設定するように制御装置４０に備えてある湯量設定器４１それぞれからの情報に基づいて制御装置４０が注湯電磁弁１５ａを自動的に操作する。すなわち、水圧センサー１７による検出圧が湯量設定器４１による設定湯量に対応するものになるように操作する。これにより、浴槽１２には湯量設定器４１によって設定した所望量の湯水が供給される。
【００１５】
前記湯水通路１８には、さらに、風呂戻りサーミスタ１３ｂ、風呂二方弁１３ｃ、エアー置換用電磁弁１３ｄ、水流スイッチ１３ｅ、風呂往きサーミスタ１１ａを備えてある。
【００１６】
暖房熱源機２０には、継手５２で成る複数個の戻り口５２ａを一端側に有し、他端側に継手５３で成る吐出口５３ａを有する高温暖房通路ＨＲと、前記複数個の戻り口５２ａを一端側に有し、他端側に継手５４で成る吐出口５４ａを有する低温暖房通路ＬＲとを備えてある。前記高温暖房通路ＨＲは、前記暖房熱交換器２１の入口側に接続するとともに途中に熱媒循環ポンプ２７を備える熱媒通路２２と、この熱媒通路２２に出水側が接続している補給水タンク２３と、この補給水タンク２３の入水側に接続しているとともに端部に前記継手５２を備えている暖房戻り路２４と、暖房熱交換器２１の出口側に接続するとともに端部に前記継手５３を備えている高温暖房往き路２５とによって構成してある。熱媒ポンプ２７が駆動されると、このポンプ２７の送り作用により、湯水が戻り口５２ａから暖房戻り路２４、補給水タンク２３、熱媒通路２２を介して暖房熱交換器２１に流入し、この暖房熱交換器２１から高温暖房往き路２５に流出して吐出口５３ａに至ることにより、高温暖房通路ＨＲは、戻り口５２ａからの湯水が暖房熱交換器２１を通って吐出口５３ａから出ていくように、戻り口５２ａから暖房熱交換器２１を経由して吐出口５３ａに至る通路になっている。
前記低温暖房通路ＬＲは、前記熱媒通路２２と、前記補給水タンク２３と、前記暖房戻り路２４と、前記熱媒通路２２の熱媒循環ポンプ２７と暖房熱交換器２１との間に連通しているとともに端部に前記継手５４を備えている低温暖房往き路２６とによって構成してある。前記熱媒循環ポンプ２７が駆動されると、このポンプ２７の送り作用と、前記高温暖房往き路２５の暖房熱交換器２１の近くに備えてある暖房往き高温サーミスタ２５ａ、前記低温暖房往き路２６の前記熱媒通路２２の近くに備えてある暖房往き低温サーミスタ２６ａ、前記暖房戻り路２４に備えてある暖房戻りサーミスタ２４ａそれぞれの検出結果に基づく湯水温度の管理とにより、前記給水路４からタンク給水路２８を介して補給水タンク２３に供給される水道水が熱媒通路２２に流入し、暖房熱交換器２１で加熱された湯水が高温暖房往き路２５に供給されて高温暖房端末器５０に供給され、高温端末器５０から戻る湯水も低温端末器５１から戻る湯水も熱媒通路２２によって補給水タンク２３に戻され、このタンク２３から熱媒通路２２に流入して低温暖房往き路２６に供給されたり、暖房熱交換器２１に供給されたりする。これにより、低温暖房通路ＬＲは、戻り口５２ａからの湯水が暖房熱交換器２１を通って吐出口５４ａから出て行くように、戻り口５２ａから暖房熱交換器２１を経由して吐出口５４ａに至る通路になっている。
【００１７】
すなわち、高温暖房通路ＨＲの前記戻り口５２ａの一つを、高温暖房端末器５０にこれの熱交換部に湯水を通過させるように備えられている湯水通流管５０ａの排出側に接続するとともに、高温暖房通路ＨＲの前記吐出口５３ａを前記湯水通流管５０ａの入水側に接続して、高温暖房用の湯水循環路２０ａを形成する。低温暖房通路ＬＲの前記戻り口５２ａの一つを、低温暖房端末器５１にこれの熱交換部に湯水を通過させるように備えられている湯水通流管５１ａの排出側に接続するとともに、低温暖房通路ＬＲの前記吐出口５４ａを前記湯水通流管５１ａの入水側に接続して、低温暖房側の湯水循環路２０ｂを形成する。そして、制御装置４０の暖房運転スイッチを入りに操作すると、熱媒循環ポンプ２７が駆動され、このポンプ２７の送り作用により、高温暖房通路ＨＲが高温暖房端末器５０の湯水通流管５０ａの湯水を戻り口５２ａから取り入れ、暖房熱交換器２１を経由させて加熱した後に吐出口５３ａから高温暖房端末器５０の湯水通流管５０ａに送り込んでいき、低温暖房通路ＬＲが低温暖房端末器５１の湯水通流管５１ａの湯水を戻り口５２ａから取り入れ、暖房熱交換器２１を経由させて吐出口５４ａから低温暖房端末器５１の湯水通流管５１ａに送り込んでいく。これにより、暖房熱源機２０は、湯水を高温暖房端末器５０及び低温暖房端末器５１から取り出し、暖房熱交換器２１で加熱してから高温暖房端末器５０及び低温暖房端末器５１に戻すように高温暖房端末器５０及び低温暖房端末器５１と暖房熱交換器２１との間で循環させる。
前記タンク給水路２８には、補給水バルブ２８ａ及び補給水電磁弁２８ｂを備えてある。
【００１８】
前記高温暖房往き路２５に連結している前記継手５３、前記低温暖房往き路２６に連結している前記継手５４それぞれを、図２に示す如く構成してある。
すなわち、前記暖房往き路２５，２６に連通する熱源機側接続部５３ｂ，５４ｂを一端側に備え、前記吐出口５３ａ，５４ａを備える筒体５５が中間部に連結している継手本体５３ｃ、５４ｃの内部に切替弁５６を設けてある。図２（イ）に示すように、この切替弁５６の支軸５７の継手本体５３ｃ，５４ｃから外部に突出している端部に回転自在に連結している操作ハンドル５８により、支軸５７を継手本体５３ｃ，５４ｃに対して前記熱源機側接続部５３ｂ，５４ｂとは反対側に摺動操作し、操作ハンドル５８を継手本体５３ｃ、５４ｃから延出している一対のストッパー５９に引っ掛けて支持させ、切替弁５６に作用するスプリング６０によって支軸５７が継手本体５３ｃ，５４ｃの内部に引き戻されることを防止すると、切替弁５６が継手本体５３ｃ，５４ｃの内部に位置する支持部５３ｄ，５４ｄで受け止め支持される湯水通流位置になり、熱源機側接続部５３ｂ，５４ｂと吐出口５３ａ，５４ａとを連通させるべく継手本体５３ｃ，５４ｃの内部通路と前記筒体５５の内部通路とで成る連通路６１を開放する。これにより、継手５３，５４は、熱源機側接続部５３ｂ，５４ｂと吐出口５３ａ，５４ａとを連通させて暖房往き路２５，２６からの湯水が吐出口５３ａ，５４ａから出ることを可能にするように湯水通流状態になる。
図２（ロ）に示すように、操作ハンドル５８を支軸５７に対して回転させて前記ストッパー５９から外し、支軸５７を前記スプリング６０によって継手本体５３ｃ，５４ｃに対して熱源機側接続部５３ｂ，５４ｂの方に摺動操作させると、切替弁５６がスプリング６０によって弁座部材６２に押し付けられた検査位置になり、前記連通路６１を遮断する。これにより、継手５３，５４は、熱源機側接続部５３ｂ，５４ｂと吐出口５３ａ，５４ａとの連通を絶って暖房端末器５０，５１の湯水通流管５０ａ，５１ａからの湯水が暖房往き路２５，２６の側に逆流することを不能にするように検査状態になる。
【００１９】
前記暖房戻り路２４に連結している前記継手５２を、図３に示す如く構成してある。
すなわち、前記暖房戻り路２４に連通する熱源機側接続部５２ｂを一端側に備え、前記複数の戻り口５２ａ，５２ａを備える筒体６３が中間部に連結している継手本体５２ｃの内部に切替弁５６を設け、前記継手本体５２ｃの他方の端部に栓部材６４が着脱自在に付いている検査接続部６５を設けてある。図３（イ）に示すように、前記切替弁５６の支軸５７の継手本体５２ｃから外部に突出している端部に回転自在に連結している操作ハンドル５８により、支軸５７を継手本体５２ｃに対して前記熱源機側接続部５２ｂとは反対側に摺動操作し、操作ハンドル５８を継手本体５２ｃから延出している一対のストッパー５９に引っ掛けて支持させ、切替弁５６に作用するスプリング６０によって支軸５７が継手本体５２ｃの内部に引き戻されることを防止すると、切替弁５６が継手本体５２ｃの内部に位置する支持部５２ｄで受け止め支持される湯水通流位置になり、熱源機側接続部５２ｂと複数の戻り口５２ａ，５２ａとを連通させるべく継手本体５２ｃの内部通路と前記筒体６３の内部通路とで成る連通路６６を開放し、この連通路６６と前記検査接続部６５とを連通させている連通路６７を遮断する。これにより、継手５２は、熱源機側接続部５２ｂと複数の戻り口５２ａ，５２ａとを連通させて暖房端末器５０，５１の湯水通流管５０ａ，５１ａから戻り口５２ａに戻る湯水が暖房戻り路２４に流入することを可能にするように湯水通流状態になる。図３（ロ）に示すように、操作ハンドル５８を支軸５７に対して回転させて前記ストッパー５９から外し、支軸５７を前記スプリング６０によって継手本体５２ｃに対して熱源機側接続部５２ｂの方に摺動操作させると、切替弁５６がスプリング６０によって弁座部材６２に押し付けられた検査位置になり、前記連通路６６を遮断するとともに前記連通路６７を開放する。これにより、継手５２は、熱源機側接続部５２ｂと複数の戻り口５２ａ，５２ａとの連通を絶つとともに検査接続部６５と複数の戻り口５２ａ，５２ａとを連通させ、検査接続部６５からの水道水が補給水タンク２３の方には流出することを不能にしながら戻り口５２ａから高温暖房端末器５０の湯水通流管５０ａ及び低温暖房端末器５１の湯水通流管５１ａに流入することを可能にするように検査状態になる。
【００２０】
図３（ロ）に示すように、前記継手５２の前記検査接続部６５は、前記栓部材６４の外れ止めを行うばね板製のクリップ型栓ホルダー６８と、栓部材６４とを抜き外すことにより、開放できる。開放した検査接続部６５に連絡管６９を接続することにより、風呂給湯装置１０の湯水通路１８における風呂往き路１４の吐出口１４ａを形成している継手が備える水抜き部１４ｂに検査接続部６５を前記連絡管６９によって連通させられる。すなわち、給水路４から風呂用循環路１０ａに供給される水道水が風呂往き路１４の水抜き部１４ｂから継手５２を介して高温暖房端末器５０の湯水通流管５０ａと、低温暖房端末器５１の湯水通流管５１ａとに供給されるように、風呂用の湯水通路１８を連絡管６９により、高温暖房端末器５０の湯水通流管５０ａと、低温暖房端末器５１の湯水通流管５１ａとに連通させられる。
【００２１】
図５に示すように、前記制御装置４０をマイクロコンピュータで構成し、風呂用の湯水循環路１０ａ、暖房用の湯水循環路２０ａ，２０ｂそれぞれの気密試験を行った結果を表示するＬＥＤで成る表示ランプ７０、その試験結果を液晶手段を利用して表示するエラー表示装置７１を前記制御装置４０に連係させてある。試運転の指令を出力して給湯装置の試運転制御を行わせるように制御装置４０に連係させてある自動試運転スイッチ７２と、水張り指令を出力して浴槽１２の水張り制御を行わせるように制御装置４０に連係させてある手動水張りスイッチ７３とを同時に押し操作すると、制御装置４０が前記水圧センサ１７からの情報と図６及び図７に示す制御フローとに基づいて自動的に作動するように構成してある。
【００２２】
すなわち、＃１〜＃４ステップに示すように、自動試運転スイッチ７２と手動水張りスイッチ７３とが同時に押し操作されると、試運転ランプ７４と水張りランプ７５とを点灯させる。これとともに、高温暖房端末器５０及び低温暖房端末器５１に備えられている端末熱動弁を開き操作して湯水通流管５０ａ，５１ａを開き状態にするとともに、注湯電磁弁１５ａの一回当たりの開き操作時間ｔを２０ｍｓｅｃに設定した状態で注湯電磁弁１５ａを繰り返し開閉操作し、風呂用の湯水循環路１０ａに徐々に給水して加圧するとともに、この湯水循環路１０ａから連絡管６９を介して高温暖房側の湯水循環路２０ａにおける湯水通流管５０ａと、低温暖房側の湯水循環路２０ｂにおける湯水通流管５１ａとのそれぞれに徐々に給水して加圧する。このとき、注湯電磁弁１５ａを開き操作する都度、水圧センサ１７によって検出されている圧力がいかなる大きさになっているかチェックする。＃５〜＃８ステップに示すように、注湯電磁弁１５ａを第１設定基準回数以上としての１５回以上開き操作しても、水圧センサ１７が１ｋｇｆ／ｃｍ2 以上の圧力を検出しない状態になっていると、注湯電磁弁１５ａの一回当たりの開き操作時間ｔを４０ｍｓｅｃに増加させて設定した状態で注湯電磁弁１５ａを繰り返し開閉操作する。注湯電磁弁１５ａを開き操作する都度、水圧センサ１７によって検出されている圧力がいかなる大きさになっているかチェックし、＃９〜＃１１ステップに示すように、異常回数として設定してある３５回以上注湯電磁弁１５ａを開閉操作しても水圧センサ１７が１．５ｋｇｆ／ｃｍ2 以上の内圧を検出しない場合には、前記表示ランプ７０を点灯させて圧力上昇がない異常を表示する。＃１２及び＃１３ステップに示すように、水圧センサ１７による検出圧力が検査圧として設定してある２ｋｇｆ／ｃｍ2 以上〜３ｋｇｆ／ｃｍ2 以下の範囲の圧力に達しないとともに注湯電磁弁１５ａの操作回数が３５回に達していない場合には、＃４ステップに戻り、再度給水して加圧させる。＃１２〜＃１５ステップに示すように、水圧センサ１７による検出圧力が気密検査に必要な圧力として設定してある２ｋｇｆ／ｃｍ2 以上〜３ｋｇｆ／ｃｍ2 以下の範囲の圧力になると、これまで計測してきた注湯電磁弁１７の開き操作回数を零にリセットし、この時に水圧センサ１７が検出している圧力を第１初期圧力Ｐ０として記憶するとともにタイマーをスタートさせる。この後、＃１５〜＃２２ステップに示すように、湯水通流管１９，５０ａ，５１ａが樹脂製であって、前記設定試験圧力が掛かった際にこの圧力が掛かってから膨張が発生するまでに掛かる第１設定経過時間として設定してある５分が先のタイマースタートから経過するまでの間における水圧センサ１７による検出圧力Ｐが前記第１初期圧力Ｐ０より０．６ｋｇｆ／ｃｍ2 以上低い圧力になった場合には、漏れがあると判定し、この判定結果をエラーＡとして前記エラー表示装置７１に表示させるとともに前記試運転ランプ７４及び水張りランプ７５の両ランプを点滅させて漏れがあることの報知を行わせ、さらに、高温暖房端末器５０及び低温暖房端末器５１の端末熱動弁を閉じに切り換え操作するとともにこの結果を記憶させる。
＃１６，＃１７，＃２３ステップに示すように、先のタイマースタートから前記第１設定経過時間としての５分が経過すると、水圧センサ１７による検出圧力Ｐが前記初期圧力Ｐ０より低下していても、低下していなくても、＃４ステップに戻る。すなわち、湯水通流管１９，５０ａ，５１ａが樹脂製である場合、前記設定試験圧力が掛かって膨張し、内圧が設定試験圧よりも低下することから、再度給水して設定試験圧まで加圧する。尚、再加圧した後の＃１６ステップにおいては、判定基準を１回目の加圧後におけるＰ０−Ｐ＜０．６ｋｇｆ／ｃｍ2 からＰ０−Ｐ＜０．３ｋｇｆ／ｃｍ2 に変更して判定する。すなわち、タイマースタートから前記第１設定経過時間が経過するまでの間における水圧センサ１７による検出圧力Ｐが前記初期圧力Ｐ０より０．３ｋｇｆ／ｃｍ2 以上低い圧力になっているか否かを判定する。
＃２４及び＃２５ステップに示すように、再加圧を行った後、湯水通流管１９，５０ａ，５１ａが樹脂製である場合に再加圧が完了してから膨張による圧力変化の勾配が安定化するまでに掛かる第２設定経過時間として設定してある８分が＃１５ステップにおけるタイマースタートから経過すると、この時に水圧センサ１７が検出している圧力を第２初期圧力Ｐ１として記憶するとともにタイマーを再スタートさせる。この後、＃２６〜＃２９ステップに示すように、＃２５ステップにおけるタイマースタートから第３設定経過時間として設定してある５分が経過するまでの間における水圧センサ１７による検出圧力Ｐが前記第２初期圧力Ｐ１より０．０８ｋｇｆ／ｃｍ2 以上低い圧力になった場合には、漏れがあると判定し、この判定結果をエラーＢとして前記エラー表示装置７１に表示させるとともに＃２０ステップに移り、前記試運転ランプ７４及び水張りランプ７５の両ランプを点滅させて報知し、さらに、高温暖房端末器５０及び低温暖房端末器５１の端末熱動弁を閉じに切り換え操作するとともにこの結果を記憶させる。
＃３０〜＃３５に示すように、＃２５ステップにおけるタイマースタートから第３設定経過時間としての５分が経過した時の水圧センサ１７による検出圧力Ｐが前記第２初期圧力Ｐ１より０．０３ｋｇｆ／ｃｍ2 以上低い圧力になっており、さらに、＃１５ステップにおけるタイマースタートから第４設定経過時間としての２０分が経過した時の水圧センサ１７による検出圧力Ｐが前記第１初期圧力Ｐ０より０．１５ｋｇｆ／ｃｍ2 以上低い圧力で、かつ、前記第２初期圧力Ｐ１より０．０８ｋｇｆ／ｃｍ2 以上低い圧力になっていると、漏れがあると判定し、この判定結果をエラーＣとして前記エラー表示装置７１に表示させるとともに＃２０ステップに移り、前記試運転ランプ７４及び水張りランプ７５の両ランプを点滅させて漏れがあることの報知を行い、さらに、高温暖房端末器５０及び低温暖房端末器５１の端末熱動弁を閉じに切り換え操作するとともにこの結果を記憶させる。
＃３０〜＃３３ステップ及び＃３６〜＃３９ステップに示すように、＃２５ステップにおけるタイマースタートから第３設定経過時間としての５分が経過した時の水圧センサ１７による検出圧力Ｐが前記第２初期圧力Ｐ１より低下していなか、低下していても低下分の圧力が０．０３ｋｇｆ／ｃｍ2 より小である場合、あるいは、＃２５ステップにおけるタイマースタートから第３設定経過時間としての５分が経過した時の水圧センサ１７による検出圧力Ｐが前記第２初期圧力Ｐ１より０．０３ｋｇｆ／ｃｍ2 以上低い圧力になっていても、＃１５ステップにおけるタイマースタートから第４設定経過時間としての２０分が経過した時の水圧センサ１７による検出圧力Ｐが前記第１初期圧力Ｐ０より低下していないか、低下していても低下分の圧力が０．１５ｋｇｆ／ｃｍ2 より小である場合、あるいは、＃２５ステップにおけるタイマースタートから第３設定経過時間としての５分が経過した時の水圧センサ１７による検出圧力Ｐが前記第２初期圧力Ｐ１より０．０３ｋｇｆ／ｃｍ2 以上低い圧力になっており、かつ、＃１５ステップにおけるタイマースタートから第４設定経過時間としての２０分が経過した時の水圧センサ１７による検出圧力Ｐが前記第１初期圧力Ｐ０より０．１５ｋｇｆ／ｃｍ2 以上低い圧力になっていても、＃１５ステップにおけるタイマースタートから第４設定経過時間としての２０分が経過した時の水圧センサ１７による検出圧力Ｐが前記第２初期圧力Ｐ１より低下していないか、低下していても低下分の圧力が０．０８ｋｇｆ／ｃｍ2 より小である場合のそれぞれにおいては、漏れがないと判定し、高温暖房端末器５０及び低温暖房端末器５１の端末熱動弁を閉じに切り換え操作するとともにこの結果を記憶させ、さらに、試運転ランプ７４及び水張りランプ７５を消灯させて漏れが無いことの報知を行う。
【００２３】
これにより、＃４〜＃１０ステップ、＃１２〜＃１７ステップ、＃２３ステップが循環湯路１０ａ，２０ａ，２０ｂを気密試験するための給水制御手段７６を構成しており、この給水制御手段７６は、自動試運転スイッチ７２と手動水張りスイッチ７３が操作されて気密試験の実行の指令が出力されるに伴い、注湯電磁弁１５ａを繰り返し開閉操作して水圧センサ１７が前記設定試験圧を検出するまで風呂給湯装置１０の湯水循環路１０ａ、及び、暖房用の湯水循環路２０ａ及び２０ｂの湯水通流管５０ａ，５１ａに徐々に給水させることにより、風呂用の湯水循環路１０ａ、及び、暖房端末器側の湯水通流管５０ａ，５１ａを設定試験圧まで徐々に加圧していく。そして、この加圧を行うに当たり、第１設定基準回数以上として１５回以上注湯電磁弁１５ａを開き操作しても、水圧センサ１７が１ｋｇｆ／ｃｍ2 以上を検出しない状態にあれば、注湯電磁弁１５ａの一回当たりの開操作時間ｔを２０ｍｓｅｃから４０ｍｓｅｃに増加させて圧力上昇の促進を図りながら加圧していき、さらに、水圧センサ１７が設定試験圧を検出してから前記第１設定経過時間としての５分が経過した後、再度、注湯電磁弁１５ａを開閉操作して水圧センサ１７が設定試験圧を検出するまで給水させ、湯水循環路１０ａ、湯水通流管５０ａ，５１ａが膨張しても設定試験圧になるように加圧していく。
【００２４】
＃１５〜＃１８ステップと、＃２５〜＃２８ステップと、＃２５〜＃３２及び＃３４ステップとのそれぞれが判定手段７７ａ，７７ｂ，７７ｃを構成しており、この判定手段７７ａ，７７ｂ，７７ｃは、水圧センサー１７の設定試験圧を検出した後における検出圧に設定圧以上の減少変化があるか否かを判定し、エラー表示装置７１、試験運転ランプ７４、水張りランプ７５を判定結果の表示が行われるように自動的に操作する。
【００２５】
つまり、浴槽１２、暖房端末器５０，５１を接続して湯水循環路１０ａ，５０ａ，５１ａを形成した後など、風呂用の湯水循環路１０ａや暖房端末器側の湯水通流管５０ａ，５１ａの気密検査を次の如く行えるようにしてある。
すなわち、図１および図４に示す如く浴槽１２の循環アダプター１２ａに、これの湯水給排出口を閉じる安全弁付きの栓部材８０を取り付けるとともに、暖房戻り路２４が備える継手５２の検査接続部６５を前記連絡管６９によって風呂往き路１４の前記水抜き部１４ｂに接続して連通させる。暖房戻り路２４、高温暖房往き路２５、低温暖房往き路２６それぞれの前記継手５２，５３，５４を前記熱媒通流状態に切り換えた状態にし、前記栓部材８０の安全弁を開にするとともに注湯電磁弁１５ａを開き、湯張り路１５から風呂用の湯水循環路１０ａに、この湯水循環路１０ａから連絡管６９にそれぞれ給水して湯水循環路１０ａおよび連絡管６９に水を充満させるとともにこれらの空気抜きを行う。次に、前記栓部材８０の安全弁を閉じに切り換え、タンク給水路２８を開いて熱媒循環ポンプ２７を駆動し、高温側の湯水循環路２０ａと低温側の湯水循環経路２０ｂとのそれぞれに水を供給し、補給水タンク２３の下限センサ２３ａが検出状態になってから設定時間が経過すれば給水を停止し、湯水循環路２０ａと２０ｂに水を充満させるとともにこれらの空気抜きを行う。すなわち、内部空気を補給水タンク２３から流出させる。この空気抜きが完了すると、高温暖房往き路２５、低温暖房往き路２６、暖房戻り路２４それぞれの継手５３，５４，５２を前記検査状態に切り換えてから、自動試運転スイッチ７２と手動水張りスイッチ７３とを同時に入り操作して気密試験を実行させる指令を与える。
すると、給水制御手段７６が作動して注湯電磁弁１５ａを繰り返し開閉操作する。このとき、注湯電磁弁１５ａの一回の開き操作時間を２０ｍｓｅｃで開閉操作を開始し、１５回以上開き操作しても水圧センサ１７による検出圧が１ｋｇｆ／ｃｍ2 以上にならない場合には、注湯電磁弁１５ａの一回の開き操作時間を４０ｍｓｅｃに増加させて開閉操作を繰り返していく。これにより、給水路４からの水道水が風呂用の湯水循環路１０ａに徐々に供給され、この循環湯路１０ａが徐々に加圧されていくとともに、高温暖房側の湯水通流管５０ａも、低温暖房側の湯水通流管５０ｂも連絡管６９を介して徐々に加圧されていく。水圧センサ１７が設定試験圧（２ｋｇｆ／ｃｍ2 以上〜３ｋｇｆ／ｃｍ2 以下）を検出すると、給水制御手段７６が注湯電磁弁１５ａを閉じ状態にし、水道水供給が停止されて加圧が停止される。この加圧停止から設定時間（５分）が経過すると、給水制御手段７６が再度、注湯電磁弁１５ａを繰り返し開閉操作し、湯水循環路１０ａ、湯水通流管５０ａ，５０ｂの再加圧が行われる。すなわち、湯水循環路１０ａ、湯水通流管５０ａ，５０ｂが一回目の設定試験圧までの加圧で膨張することがあると、漏れがなくても圧力が低下することから、一回目の設定試験圧までの加圧から５分経過するまでに圧力低下が発生しても、それは漏れによるものではないと見なして気密検査が行われる。
そして、注湯電磁弁１５ａが３５回以上開き操作されても水圧センサ１７による検出圧力が１．５ｋｇｆ／ｃｍ2 以上にならない場合には表示ランプ７０が点灯されるのであり、この表示ランプ７０が点灯すると、設定試験圧まで加圧できない多量の漏れがあると判断する。
水圧センサ１７よる検出圧が設定試験圧に達すると、この後、判定手段７７ａ，７７ｂ，７７ｃが水圧センサ１７よる検出圧に設定変化を越える変化がある否かを判定し、判定手段７７ａ，７７ｂ，７７ｃのいずれが変化有りと判定した場合にも、判定手段７７ａ，７７ｂ，７７ｃからの情報に基づいてエラー表示装置７１が自動的に表示作動するとともに試運転ランプ７４と水張りランプ７５が点滅作動するのであり、エラー表示装置７１が表示作動するとともに試運転ランプ７４及び水張りランプ７５が点滅すると、漏れがあると判断する。判定手段７７ａは、判定手段７７ｂよりも多量の漏れに起因する圧力変化を検出し、判定手段７７ｂは、判定手段７７ｃよりも多量の漏れに起因する圧力変化を検出する。判定手段７７ａが変化有りと判定した場合には、表示装置７１がエラー表示Ａを表示し、判定手段７７ｂが変化有りと判定した場合には、表示装置７１が前記エラー表示Ａとは表示内容が異なるエラー表示Ｂを表示し、判定手段７７ｃが変化有りと判定した場合には、表示装置７１が前記エラー表示ＡともＢとも表示内容が異なるエラー表示Ｃを表示するのであり、表示装置７１が表示するエラー表示がＡ，Ｂ，Ｃのいずれであるかを知ることにより、漏れの大きさを判断できる。
水圧センサ１７が一回目の設定試験圧を検出してから約２０分経過しても、かつ、判定手段７７ａ，７７ｂ，７７ｃのいずれも検出圧変化が有りの判定をしないと、試運転ランプ７４と手動水はりランプ７５が消灯されるのであり、水圧センサ１７が一回目の試験圧検出を行ってから約２０分（自動試運転スイッチ７２及び手動水張りスイッチ７３を操作してから約２５分）経過するのを待ち、試運転ランプ７４及び水はりランプ７５が消灯すると、風呂用の湯水循環経路１０ａにも暖房端末側の湯水通流管５０ａ，５１ａにも漏れがないと判断する。
【００２６】
漏れがあると判断した場合、暖房戻り路２４の継手５２を前記検査状態から熱媒通流状態に切り換えて暖房端末器側の湯水通流管５０ａと５０ｂには加圧されないようにした後、再度、自動試運転スイッチ７２と手動水張りスイッチ７３とを同時に入り操作して気密試験を実行させる指令を与え、風呂用の湯水循環路１０ａのみの気密試験を行う。この試験によって漏れがない試験結果を得ると、暖房端末器側の湯水通流管５０ａ，５０ｂに漏れがあると判断する。そして、この風呂用湯水循環路１０ａのみの気密試験によって漏れがある試験結果を得た場合、暖房端末器側の湯水通流管５０ａ，５０ｂのみの気密試験を行い、風呂用湯水循環路１０ａのみに漏れがあるのか、暖房端末器側の湯水通流管５０ａ，５０ｂの方にも漏れがあるのかどうかを判断する。
【００２７】
〔別実施形態〕
図８は、別の実施形態を備える給水制御手段７６の制御フローを示し、＃１〜＃４ステップに示すように、自動試運転スイッチ７２と手動水張りスイッチ７３とが同時に押し操作されると、試運転ランプ７４と水張りランプ７５とを点灯させる。これとともに、高温暖房端末器５０及び低温暖房端末器５１に備えられている端末熱動弁を開き操作して湯水通流管５０ａ，５１ａを開き状態にするとともに、注湯電磁弁１５ａの一回当たりの開き操作時間ｔを２０ｍｓｅｃに設定した状態で注湯電磁弁１５ａを繰り返し開閉操作し、風呂用の湯水循環路１０ａに徐々に水道水を供給して加圧するとともに高温暖房端末器側の湯水通流管５０ａと、低温暖房端末器側の湯水通流管５１ａとにそれぞれ連絡管６９を介して徐々に加圧する。＃５〜＃８ステップに示すように、注湯電磁弁１５ａを第１設定基準回数以上としての１５回以上開き操作しても、注湯電磁弁１５ａの開操作を開始してからの湯水循環路１０ａの圧力増加量が１ｋｇｆ／ｃｍ2 以上に達していない検出状態に水圧センサー１７がなっていると、この場合には、注湯電磁弁１５ａの一回当たりの開き操作時間ｔを２０ｍｓｅｃから４０ｍｓｅｃに増加させて設定した状態で注湯電磁弁１５ａを繰り返し開閉操作する。＃９〜＃１１ステップに示すように、異常回数として設定してある３５回以上注湯電磁弁１５ａを開閉操作しても、注湯電磁弁１５ａの開操作を開始してからの湯水循環路１０ａの圧力増加量が１．５ｋｇｆ／ｃｍ2 以上に達していない検出状態に水圧センサー１７がなっていると、この場合には、前記表示ランプ７０を点灯させて圧力上昇がない異常を表示する。＃１２ステップ以降は、図６及び図７に示す給水制御手段７６と同様に作動する。
【００２８】
注湯電磁弁１５ａを所定回数開き操作しても水圧センサ１７の検出圧力が設定圧力に達していなければ、注湯電磁弁１５ａの一回当たりの開き操作時間ｔを増大させる操作時間調整と、注湯電磁弁１５ａを所定回数開き操作しても湯水循環路１０ａの圧力増加量が設定増加量に達していなければ、注湯電磁弁１５ａの一回当たりの開き操作時間ｔを増大させる操作時間調整とのいずれか一方を採用する他、両方の操作時間調整を併せて行って加圧制御を行うように実施してもよい。
【００２９】
風呂給湯装置１０と暖房熱源機２０の両方を備える装置の他、風呂給湯装置１０と暖房熱源機２０のいずれか一方のみを備える装置の場合にも本発明は適用できる。したがって、風呂給湯装置１０、暖房熱源機２０を総称して熱源機と呼称し、浴槽１２、高温暖房端末器５０、低温暖房端末器５１を総称して端末器１２，５０，５１と呼称し、風呂給湯装置１０の湯水通路１８、暖房熱源機２０の高温暖房通路ＨＲ、低温暖房通路ＬＲを総称して湯水通路１８，ＨＲ，ＬＲと呼称し、浴槽側の湯水通流管１９、暖房端末器５０，５１の湯水通流管５０ａ，５１ａを総称して端末器側の湯水通流管１９，５０ａ，５１ａと呼称する。
熱源機２０のみを備える装置の場合、湯水通流管５０ａ，５１ａにこれの内部圧を検出する水圧センサを付設して気密試験を行う。
【００３０】
自動試運転スイッチ７２、手動水張りスイッチ７３に替え、気密試験の指令を出力する専用のスイッチなど、各種の指令手段を採用して実施してもよい。
【００３１】
試運転ランプ７４、水張りランプ７５、エラー表示装置７１のうちのいずれか一つのみを採用するか、いずれか二つを採用するかして実施してもよい。また、ブザーやベル、あるいは、音声発生装置を採用して実施してもよい。したがって、これらを総称して報知手段７４，７５，７１と呼称する。
【００３２】
熱交換器１１、２１がガスによって加熱される他に、電気や石油によって加熱される装置の場合にも、本発明は適用できる。
【図面の簡単な説明】
【図１】家庭用給湯装置の概略図
【図２】暖房往き路の継手の断面図
【図３】暖房戻り路の継手の断面図
【図４】連絡管接続状態の説明図
【図５】制御系のブロック図
【図６】給水制御のフロー図
【図７】給水制御のフロー図
【図８】別の実施形態を備える給水制御手段による給水制御のフロー図
【符号の説明】
１０ａ，２０ａ，２０ｂ  湯水循環路
１１，２１              加熱手段
１２，５０，５１        端末器
１３ａ，５２ａ          戻り口
１４ａ，５３ａ，５４ａ  吐出口
１７                    水圧センサ
１８，ＨＲ，ＬＲ        湯水通路
１９，５０ａ，５１ａ    湯水通流管
７１，７４，７５        報知手段
７６                    給水制御手段
７７ａ，７７ｂ，７７ｃ  判定手段
【図１】
0004030218.tif 000002
【図２】
0004030218.tif 000003
【図３】
0004030218.tif 000004
【図４】
0004030218.tif 000005
【図５】
0004030218.tif 000006
【図６】
0004030218.tif 000007
【図７】
0004030218.tif 000008
【図８】
0004030218.tif 000009